(57)【要約】【課題】  電源や各種センサを必要とすることなく、より安価かつ簡便な構成で、演奏装置の発音体を発光させることによって、演奏音を楽しむだけでなく、視覚的にも楽しむことのできる演奏装置を提供する。【解決手段】  本発明の演奏装置（例えば、ビードロ１）は、外部から力を印加することによって変形または振動が発生し、音を発する発音体（ビードロの場合は、薄板状のダイアフラム２）を含んで構成されている。この発音体には、印加される力に応じて発光する応力発光材料を含む塗料で形成された応力発光膜（図示せず）が設けられており、当該発音体が変形または振動することに伴って、上記応力発光膜が発光し、音と光を同時に発することができる。上記発音体としては、薄板状のダイアフラムや、弦、音板などがある。【選択図】  図１
2005279105.tif 000002
【特許請求の範囲】
【請求項１】
外部から力を印加することによって変形または振動が発生し、音を発する発音体を含んで構成される演奏装置であって、
上記発音体には、印加される力に応じて発光する応力発光材料を含む応力発光膜が設けられており、当該発音体が変形または振動することに伴って、上記応力発光膜が発光し、音と光を同時に発することを特徴とする演奏装置。
【請求項２】
上記応力発光膜には、高分子有機材料がさらに含まれていることを特徴とする請求項１に記載の演奏装置。
【請求項３】
上記発音体は、薄板状のダイアフラムで構成されていることを特徴とする請求項１または２に記載の演奏装置。
【請求項４】
上記応力発光膜は、上記ダイアフラムの表面に部分的に設けられており、当該応力発光膜で模様が形成されていることを特徴とする請求項３に記載の演奏装置。
【請求項５】
上記ダイアフラムは、ガラスの薄板で構成されていることを特徴とする請求項３または４に記載の演奏装置。
【請求項６】
上記ダイアフラムは、樹脂の薄板で構成されていることを特徴とする請求項３または４に記載の演奏装置。
【請求項７】
上記樹脂の薄板は透明であることを特徴とする請求項６に記載の演奏装置。
【請求項８】
上記ダイアフラムは、金属の薄板で構成されていることを特徴とする請求項３または４に記載の演奏装置。
【請求項９】
上記ダイアフラムは、セラミクスの薄板で構成されていることを特徴とする請求項３または４に記載の演奏装置。
【請求項１０】
上記演奏装置は、ビードロであることを特徴とする請求項３ないし９の何れか１項に記載の演奏装置。
【請求項１１】
上記発音体は、弦で構成されていることを特徴とする請求項１または２に記載の演奏装置。
【請求項１２】
上記演奏装置は、ギターであることを特徴とする請求項１１に記載の演奏装置。
【請求項１３】
上記発音体は、音板で構成されていることを特徴とする請求項１または２に記載の演奏装置。
【請求項１４】
上記演奏装置は、シロフォンであることを特徴とする請求項１３に記載の演奏装置。
【発明の詳細な説明】
【技術分野】
【０００１】
本発明は、振動や変形によって音を発生させる弦やダイアフラムなどの発音体を含んで構成される演奏装置で、視覚的効果と聴覚的効果を同時に奏することによって心理的な効果を高めた演奏装置に関するものである。
【背景技術】
【０００２】
本発明者らは、紫外線、電子線、Ｘ線、放射線、化学線、化学反応などによる刺激とは異なり、外力などの機械的な刺激によって効率的に発光する材料に関して長期にわたって研究を行っている。このような外力によって発光する材料は応力発光材料と呼ばれる。
【０００３】
この応力発光材料の具体例としては、例えば、特許文献１、特許文献２、特許文献３、特許文献４などに記載されているものが挙げられる。これらは、本願発明者らによって開発されたものである。
【０００４】
また、本願発明者らによって出願された特許文献以外にも、例えば、特許文献５、特許文献６などには、応力発光材料についての技術が記載されている。なお、これらの文献には、応力発光材料を光導波路や人口発光皮膚、さらには各種装置などに利用する技術について記載されている。特許文献７には、視覚と聴覚を同期させた演奏装置として、足操作にて鍵盤を発光させて表現力のある多彩な演奏を行うことができる足演奏装置が記載されている。
【特許文献１】特開２０００−１１９６４７号公報（公開日：２０００年４月２５日）
【特許文献２】特開２００１−０４９２５１号公報（公開日：２００１年２月２０日）
【特許文献３】特開２００１−０６４６３８号公報（公開日：２００１年３月１３日）
【特許文献４】特開２００２−１９４３４９号公報（公開日：２００２年７月１０日）
【特許文献５】特開２００３−２５３２６１号公報（公開日：２００３年９月１０日）
【特許文献６】特開２００４−０７１５１１号公報（公開日：２００４年３月４日）
【特許文献７】特開２００３−２５５９４７号公報（公開日：２００３年９月１０日）
【発明の開示】
【発明が解決しようとする課題】
【０００５】
従来の演奏装置は、弦やダイアフラム、音板などを発音体とし、それを摩擦や打撃によって変形や振動を発生させて演奏音を出すものである。例えば、ビードロと呼ばれる演奏装置は、ガラス管を加工して径を太くした一端をガラス薄板が密封したものであり、もう一方から息を吹き込んだり吸い込んだりすることによりガラス管内の圧力が増加あるいは減少し、当該ガラス薄板が変形することにより特徴的な音を発生させるものである。材料として透明ガラスあるいは色付きガラスが使用され、その表面には塗料によって様々な模様が描かれることがあり、視覚的にも楽しまれるものとして知られる。しかし、その模様は静的なものであり演奏装置の演奏によってなんら変化するものではない。模様と演奏装置の音の発生は関連のあるものではなく、視覚的な効果と聴覚的な効果は別個のものである。
【０００６】
もし演奏装置の音の発生に関連して模様が変化したり発光したりするようにできれば、視覚的な効果と聴覚的な効果が関連することとなり、演奏上聴衆に対してあるいは演者自身の心理的効果を高めることができる。特許文献７に記載されているように電気的な方法で演奏操作を計測し、それに関連して変化する模様を投影装置などにより演奏装置表面あるいは別のスクリーンに映写して視覚効果と聴覚効果を関連づけることも可能であるが、高価で大掛かりな装置となり一般的な使用には不向きである。
【０００７】
本発明は、上記の課題を解決するためになされたものであり、電源や各種センサを必要とすることなく、より安価かつ簡便な構成で、演奏装置の発音体を発光させることによって、演奏音を楽しむだけでなく、視覚的にも楽しむことのできる演奏装置を提供することを目的とするものである。
【課題を解決するための手段】
【０００８】
本願発明者らは、上記の目的を達成するために、機械的な力（機械的エネルギー）を加えることによって発光する応力発光材料に着目した。そして、この応力発光材料を微粒子状にして透明樹脂に混入させた塗料とし、この塗料を発音体の表面に塗布した演奏装置を作製した。そして、この演奏装置を演奏したところ、音と同時に発音体が発光し、演奏音を楽しむだけでなく、視覚的にも楽しむことのできることを確認した。
【０００９】
さらに、発音体の表面に上記の応力発光材料を含む塗料で模様を描いたところ、その模様は構造体に加えられる応力に応じて発光し、しかも応力発光材料の発光強度は、加えられた応力の大きさに比例することから、応力の分布によって模様の発光強度が変化し、模様自体に応力分布による発光の強弱が分布し、審美的に効果を増すことができることを見出した。
【００１０】
つまり、このような応力発光材料を含む塗料によって、演奏によって変形や振動が発生する演奏装置の部位に模様を描けば、演奏によって模様を発光させることができ、演奏音と模様の発光が同期することによって視覚的な効果と聴覚的な効果を関連付けられ、演者や聴衆の心理的な効果を高めることができる。しかも応力発光材料を混入させた塗料を用いることのみで、特別な電源やセンサ、投影装置を必要としない。以上の知見を得て、本願発明者等らは本発明を完成させるに至った。
【００１１】
すなわち、本発明にかかる演奏装置は、外部から力を印加することによって変形または振動が発生し、音を発する発音体を含んで構成される演奏装置であって、上記発音体には、印加される力に応じて発光する応力発光材料を含む応力発光膜が設けられており、当該発音体が変形または振動することに伴って、上記応力発光膜が発光し、音と光を同時に発することを特徴とするものである。
【００１２】
本発明にかかる演奏装置は、演奏行為によって、上記発音体に圧力の増減、打撃、摩擦、電磁的な力などのような各種の力が印加され、当該発音体が変形または振動して音を発生する。また、上記発音体には、印加される力に応じて発光する応力発光材料を含む応力発光膜が設けられているため、当該発音体が変形または振動することに伴って、上記応力発光膜が発光する。つまり、演奏行為によって音と光とが同時に発生する。
【００１３】
従って、上記の構成によれば、圧力の増減、打撃、摩擦、電磁的な力の印加などの演奏行為によって演奏装置内の発音体に変形や振動が発生し、それが音として放出されると同時に応力発光材料を含む応力発光膜が発光するため、音と光を同時に感賞することができる。このように、本発明によれば、視覚的効果と聴覚的効果を同期させることによって、演者や聴衆の心理的な効果を高めることができる。
【００１４】
また、発音体の表面には変形や振動に伴うせん断力や曲げ応力の分布が形成されることがあり、応力発光膜が発音体の表面に設けられていれば、その発光も一様ではなく強弱を伴うものとなり、審美性を増すことができる。さらに種々の色を発する応力発光体を用いることにより模様に色彩を加えることができ、より一層審美性を増すことができる。また、応力発光材料は電源を必要としないことから、特別な電源やセンサ、投影装置などを必要としない簡便かつ安価な構造の演奏装置を構成することができる。
【００１５】
また、本発明の演奏装置において、上記応力発光膜には、高分子有機材料がさらに含まれていることが好ましい。
【００１６】
上記の構成によれば、応力発光膜が高分子有機材料に含まれていることによって、応力発光膜の発光効率を向上させることができる。
【００１７】
また、本発明の演奏装置において、上記発音体は薄板状のダイアフラムで構成されていてもよい。
【００１８】
さらに、本発明の演奏装置において、上記応力発光膜は、上記ダイアフラムの表面に部分的に設けられており、当該応力発光膜で模様が形成されていることが好ましい。
【００１９】
上記の構成によれば、発光膜が模様を形成していることによって、ダイアフラムに力が印加されたときに、その模様の部分が発光するため、演奏装置の観賞効果を向上させることができる。つまり、ダイアフラムの表面に形成された模様を演奏と関連させて変化させ、視覚的な効果と聴覚的な効果を関連づけることにより、それを見る者の心理的効果を増すことができる。
【００２０】
また、本発明の演奏装置において、上記ダイアフラムはガラスの薄板で構成されていてもよい。また、本発明の演奏装置において、上記ダイアフラムは樹脂の薄板で構成されていてもよい。また、本発明の演奏装置において、上記樹脂の薄板は透明であってもよい。また、本発明の演奏装置において、上記ダイアフラムは金属の薄板で構成されていてもよい。また、本発明の演奏装置において、上記ダイアフラムはセラミクスの薄板で構成されていてもよい。
【００２１】
また、本発明の演奏装置は、ビードロであることが好ましい。このビードロを演奏すると、その特徴的な演奏音と相まって、発光体が発光するので情緒感あふれる演奏を実現することができる。
【００２２】
また、本発明の演奏装置において、上記発音体は弦で構成されていてもよい。そして、発音体が弦である演奏装置としては、例えば、ギターなどが挙げられる。
【００２３】
通常ギターは複数本の弦を有している。この複数の弦を発光色の異なる応力発光材料を含む塗料で塗装して応力発光膜を形成すると、演奏音と同時に異なる色の線状の発光が視認され、視覚的効果と聴覚的効果が相乗することによって、通常の演奏と比較してより印象的な演奏を行うことができる。
【００２４】
また、本発明の演奏装置において、上記発音体は音板で構成されていてもよい。そして、発音体が音板である演奏装置としては、例えば、木琴や鉄琴などのようなシロフォンが挙げられる。
【００２５】
シロフォンは、長さの異なる音板が複数個有している。そして、音板ごとに発光色の異なる応力発光材料を含む塗料で塗装して応力発光膜を形成すると、演奏時に打つ音板によって異なる色の光を発することができる。そのため、視覚的効果と聴覚的効果が相乗することによって、従来の演奏と比較してより印象的な演奏を行うことができる。
【発明の効果】
【００２６】
以上のように、本発明にかかる演奏装置は、印加される力に応じて発光する応力発光材料を含む応力発光膜が発音体に設けられており、当該発音体が変形または振動することに伴って、上記応力発光膜が発光し、音と光を同時に発するものである。
【００２７】
それゆえ、上記の構成によれば、圧力の増減、打撃、摩擦、電磁的な力の印加などの演奏行為によって演奏装置内の発音体に変形や振動が発生し、それが音として放出されると同時に応力発光材料を含む応力発光膜が発光するため、音と光を同時に感賞することができる。このように、本発明によれば、視覚的効果と聴覚的効果を同期させることによって、演者や聴衆の心理的な効果を高めることができる。また、応力発光材料は電源を必要としないことから、特別な電源やセンサ、投影装置を必要としない簡便な構造の演奏装置を構成することができる。
【発明を実施するための最良の形態】
【００２８】
本発明の実施形態について以下に説明するが、本発明はこの記載に限定されるものではない。
【００２９】
本発明にかかる演奏装置は、外部から力を印加することによって変形または振動が発生し、音を発する発音体を含んで構成される演奏装置であって、上記発音体には、印加される力に応じて発光する応力発光材料を含む応力発光膜が設けられており、当該発音体が変形または振動することに伴って、上記応力発光膜が発光し、音と光を同時に発するものである。
【００３０】
つまり、上記演奏装置は、外力の強度に比例して発光強度を変化させる応力発光材料を含む塗料で形成された応力発光膜によって、模様の描画などの装飾が施され、圧力の増減、打撃、摩擦、電磁的な力の印加などの演奏行為によって変形や振動をする発音体を含んで構成されるものである。
【００３１】
上記応力発光膜には、上述のように応力発光材料が含まれているが、上記応力発光材料の他に、プラスチック、ゴム、樹脂などのような高分子有機材料が含まれていることが好ましい。これによって、応力発光膜が柔軟性や可塑性を有するようになり、その形状を種々に変えて成形することができ、容易に薄膜を形成することができる。また、応力発光膜が柔軟性に富んでいると、より大きく変形することができ、発光効率が向上するという効果も得られる。そして、上記応力発光材料と上記高分子有機材料とを混合することによって、当該混合物は塗料としての性質を有するようになるため、発音体に塗布することによって、当該発音体の表面に容易に応力発光膜を形成することができる。
【００３２】
そして、本実施の形態にかかる演奏装置においては、上記塗料は、応力発光材料を微粒子状にして透明物質に混入させた塗料である。「応力発光材料」とは、応力によって発光する材料である。即ち、応力発光材料は、機械的な外力の刺激に応じて材料自体が発光するという性質を有するとともに、その外力の強度に比例して発光強度を変化させるという性質をも有している。この応力発光材料として具体的には、上述の特許文献１〜４に記載の応力発光材料や、特許３５１１０８３号公報、特許第３１３６３４０号公報に記載のものを挙げることができる。上記透明物質には、高分子有機材料に含まれる透明樹脂、透明ゴムなどの透明ポリマー、およびガラスなどの無機物質を用いることができる。さらに、透明樹脂にはポリイミド、ポリエチレンテレフタレート、ポリカーボネイド、ポリフェニレンサルファイド、アクリル、エポキシ等を使用することができるが、耐久性などの要求仕様に応じて適時選択することができる。
【００３３】
また、本発明の演奏装置において、上記発音体としては、例えば、薄板状のダイアフラム、弦、音板などを挙げることができる。
【００３４】
発音体が薄板状のダイアフラムの場合には、応力発光材料を含む塗料によって任意の形状の模様を描くことができる。また、発光色の異なる応力発光材料を用いることにより、より審美性の高い模様とすることができる。ダイアフラムが変形や振動をしている間は描かれた模様が発光するが、ダイアフラム面内に曲げ応力の分布が発生するため、その強度に応じて描画した模様の発光強度に濃淡が発生し、単に模様が一様に発光する場合に比べて、視覚的な効果を高めることができる。さらにダイアフラムが透明で、それを支持する部分も透明であると、模様の発光の様子をいろいろな角度から視認することができるため、より審美性を高めることができる。
【００３５】
発音体が、薄板状のダイアフラムである演奏装置としては、例えば、図１に示すようなビードロ１が挙げられる。呼気や吸気を加える機構と、この薄いガラス薄板のダイアフラム２から構成されるビードロ２は、呼気や吸気によってビードロ内の圧力が増加あるいは減少し、それによってガラス薄板が変形して特徴的な音を発生させる。図１に示すビードロ１は、薄板状のダイアフラム２を発音体として有している。
【００３６】
上記薄板状のダイアフラムとしては、上記のガラスの薄板以外に、例えば、樹脂の薄板、金属の薄板、セラミクスの薄板であってもよい。そして、樹脂の薄板の場合には、透明な樹脂であることが好ましい。ここで言う「透明な樹脂」とは、当該樹脂を挟んだ一方の側において発せられた光を、当該材料を介して、他方の側において検知することができる程度に透明または半透明な樹脂のことを意味する。そして、上記透明な樹脂としては、上述のように、ポリイミド、ポリエチレンテレフタレート、ポリカーボネイド、ポリフェニレンサルファイド、アクリル、エポキシ等を挙げることができる。
【００３７】
なお、上記「薄板状のダイアフラム」とは、ダイアフラムを有する一般的な演奏装置における通常の薄板状のダイアフラムであればよく、演奏装置がビードロである場合には、その厚さは約１０μｍ〜５００μｍの範囲内であることが好ましい。
【００３８】
そして、このビードロ１には、発音体である薄板状のダイアフラム２の表面に、応力発光膜（図示せず）が形成されている。この応力発光膜は、応力発光材料と透明樹脂などとを混合した塗料を塗布することによって形成されたものである。このようにダイアフラム２の表面に応力発光膜が設けられていることによって、ビードロ１は、呼気や吸気によってビードロ内の圧力が増加あるいは減少させると、それによってダイアフラム２が変形して特徴的な音を発する。また、それと同時に、応力発光膜が外力を受けて発光する。
【００３９】
さらに、上記応力発光膜が、ダイアフラム２の表面に部分的に設けられており、当該応力発光膜で何らかの模様が形成されていれば、ビードロ１の演奏時に、ダイアフラム２表面の模様が発光するため、より審美性が向上する。
【００４０】
発音体が細い弦状の場合には、応力発光材料を弦全体または一部に塗布し、弦の振動によって音が発生している間、弦全体が発光する。弦を用いた演奏装置には複数本の弦が用いられることが多いので、弦ごとに発光色の異なる応力発光材料を用いると、演奏によって多色の発光が視認されるため、聴覚的な効果と視覚的な効果を同期させた印象的な演奏を行うことができる。
【００４１】
発音体が弦である演奏装置としては、例えば、図２に示すようなギター３などが挙げられる。ギターは、指で弾くことによって弦が振動し、それが音となって放出される。図２に示すギター３は、複数の弦４を発音体として有している。
【００４２】
なお、発音体が弦である演奏装置としては、上記のギターに限定されることなく、これ以外の種々の弦楽器であってもよい。このような弦楽器としては、例えば、バイオリン、ビオラ、チェロ、コントラバス、ハープ、バンジョー、マンドリン、琴、三味線などが挙げられる。
【００４３】
発音体が音板の場合には、打撃によって音板がその固有振動数で振動し、音を発生させる。音板の材料には金属、セラミクス、木材、ガラス等が用いられるが、その音板の打撃面に応力発光材料を含む塗料を塗布することにより、打撃点で発光が発生する。演奏装置には複数の音板が用いられるので、音板ごとに発光色の異なる応力発光材料を含む塗料を塗布することにより、音程と発光色が同期し、より表現力の高い演奏を行うことができる。
【００４４】
発音体が音板である演奏装置としては、例えば、図３に示すようなシロフォン５などが挙げられる。シロフォンは、長さの異なる音板をバチで打撃することによって演奏するものであり、長さの異なる音板から発生する音がそれぞれの音程を有している。図３に示すシロフォン５は、複数の音板６を発音体として有している。
【実施例】
【００４５】
本発明の実施例について以下に説明する。
【００４６】
〔実施例１〕
実施例１では、本発明の演奏装置の一例であるビードロ１（図１参照）を作製した。
【００４７】
本実施例では、応力発光材料として粉体状のＳｒ０．９Ａｌ２Ｏ４：Ｅｕ０．０５％を使用した。この応力発光材料の製造は、上述の特許文献２に記載の方法に従って行った。次に、得られた応力発光材料の微粒子をアクリル樹脂と均一に混合して、透明なガラス系塗料を調製した。このガラス系塗料をビードロ１のガラス薄板でできたダイアフラム（発音体）２の表面に塗布して応力発光膜を形成した。なお、ガラス系塗料は、部分的に塗布して模様を描画した。
【００４８】
このようにして得られたビードロを演奏すると、ガラス薄板でできた発音体２が変形して音を発生させるときに、同時に応力発光材料を含む応力発光膜によって描かれた模様が発光した。
【００４９】
さらに、上記発光体２の表面に蛍の絵を描き、蛍が光を発する場所に応力発光膜を形成したビードロを作製した。このビードロを演奏すると、ビードロの透明感を背景に蛍のように発光する模様は、特徴的な演奏音と相まって、日本的な情緒感あふれる演奏を実現した。このときガラス薄板面内には中心からの距離に応じた曲げ応力の分布が形成されるため、模様の発光も一様ではなく強弱を伴うものとなり審美性が増している。さらに種々の色を発する応力発光体を用いて模様に色彩を加えたところ、より一層審美性が増した。
【００５０】
〔実施例２〕
実施例２では、本発明の演奏装置の一例であるギター３（図２参照）を作製した。
【００５１】
本実施例では、応力発光材料として粉体状のＳｒ０．９Ａｌ２Ｏ４：Ｅｕ０．０５％を使用した。この応力発光材料の製造は、上述の特許文献２に記載の方法に従って行った。次に、得られた応力発光材料の微粒子をエポキシ樹脂と均一に混合して、エポキシ塗料を調製した。このエポキシ塗料を、ギターの各弦（発音体）４の表面に塗布して応力発光膜を形成した。このようにして得られたギターを演奏すると、指でその弦を弾いて振動させている間、弦に塗布した応力発光材料が発光することが確認された。
【００５２】
さらに、複数本の弦を有するギターを用いて、この各弦に対して、発光色の異なる応力発光材料を含むエポキシ塗料を塗布して応力発光膜を形成した。このようにして得られたギターを演奏すると、演奏音と同時に異なる色の線状の発光が視認され、視覚的効果と聴覚的効果が相乗することによって、通常の演奏と比較してより印象的な演奏を行うことができた。
【００５３】
〔実施例３〕
実施例３では、本発明の演奏装置の一例であるシロフォン５（図３参照）を作製した。
【００５４】
本実施例では、応力発光材料として粉体状のＳｒ０．９Ａｌ２Ｏ４：Ｅｕ０．０５％を使用した。この応力発光材料の製造は、上述の特許文献２に記載の方法に従って行った。次に、得られた応力発光材料の微粒子をアクリル樹脂と均一に混合して、アクリル塗料を調製した。このアクリル塗料を、シロフォンのガラス製の各音板（発音体）６の表面に塗布して応力発光膜を形成した。このようにして得られたシロフォンを演奏すると、各音板を叩いたときに、そこに形成された応力発光膜が発光することが確認された。
【００５５】
さらに、音板ごとに発光色の異なる応力発光材料を含むアクリル塗料を、音板が打撃される面に塗布して応力発光膜を形成した。このようにして得られたシロフォンの音板を垂直に立てて、打撃面の裏側を聴衆に見せるながら演奏することによって、音程と発色が同期し、視覚的効果と聴覚的効果が相乗し、通常の演奏と比較してより印象的な演奏を行うことができた。
【００５６】
本発明は上述した実施形態および各実施例に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５７】
本発明の演奏装置は、演奏を行うと同時にその発音体部分を発光させることができるため、聴衆を聴覚的に楽しませることができるだけでなく、視覚的にも楽しませることができる。従って、本演奏装置の原理を各種楽器に利用すれば、より演奏者自身や聴衆を楽しませることができ有効である。
【図面の簡単な説明】
【００５８】
【図１】本発明の実施例１にかかる演奏装置（ビードロ）を示す断面図である。
【図２】本発明の実施例２にかかる演奏装置（ギター）を示す模式図である。
【図３】本発明の実施例３にかかる演奏装置（シロフォン）を示す模式図である。
【符号の説明】
【００５９】
１      ビードロ（演奏装置）
２      ダイアフラム（発音体）
３      ギター（演奏装置）
４      弦（発音体）
５      シロフォン（演奏装置）
６      音板（発音体）
【図１】
2005279105.tif 000003
【図２】
2005279105.tif 000004
【図３】
2005279105.tif 000005